(57)【要約】本発明は、リモートユニット（２００）によって通信デバイス（１００）の機能を制御するための方法及び装置に関する。本方法は、通信デバイス（１００）によって実行される選択された機能を識別するユーザ入力を受信するステップと、リモートユニット（２００）で選択された操作部に対応する制御信号を受信するステップとを含んでもよい。本方法は、さらに、選択された機能を事後的に制御信号に関連づけるステップと、通信デバイス（１００）で選択された機能を実行するためにリモートユニット（２００）から制御信号を受信するステップとをさらに含んでもよい。通信デバイス（１００）は、リモートユニット（２００）と通信を行い、選択された機能を識別するユーザ入力を受信するプロセッサ（１３０）を備えてもよい。プロセッサ（１３０）は、制御信号に選択された機能を関連づけ、制御信号がリモートユニット（２００）から受信されると、選択された機能を実行する。
2008523715.tif 000002
【特許請求の範囲】
【請求項１】
通信デバイス（１００）から離れた位置に配置されたリモートユニット（２００）によって該通信デバイス（１００）の機能を制御する方法であって、
選択された機能を特定するためのユーザ入力を受信するステップと、
前記リモートユニット（２００）で選択された操作部（２０６）に対応した、該リモートユニット（２００）からの制御信号を受信するステップと、
前記制御信号に前記選択された機能を関連づけるステップと、
前記リモートユニット（２００）からの制御信号を受信して、前記選択された機能を実行するステップと
を含むことを特徴とする方法。
【請求項２】
前記通信デバイス（１００）に配置された入力デバイス（１１２）を通じて前記ユーザ入力を受信するステップをさらに含むことを特徴とする請求項１に記載の方法。
【請求項３】
前記選択された機能を特定するための前記ユーザ入力を受信するステップに先行して、ユーザに対して、ディスプレイ（１１４）上に複数の機能オプションを表示するステップをさらに含むことを特徴とする請求項１に記載の方法。
【請求項４】
プッシュ・ツー・トーク機能、音声制御機能及び音声録音機能を表示するステップをさらに含むことを特徴とする請求項３に記載の方法。
【請求項５】
前記リモートユニット（２００）から前記制御信号を受信するステップは、一連の入力信号を受信するステップを含むことを特徴とする請求項１に記載の方法。
【請求項６】
短距離通信のインタフェースを介して前記リモートユニット（２００）から前記制御信号を受信するステップをさらに含むことを特徴とする請求項１に記載の方法。
【請求項７】
前記選択された機能を異なる制御信号に再マッピングするステップをさらに含むことを特徴とする請求項１に記載の方法。
【請求項８】
前記リモートユニット（２００）からの前記選択された機能の起動方法を変更するステップをさらに含むことを特徴とする請求項１に記載の方法。
【請求項９】
通信デバイス（１００）から離れた位置に配置されたリモートユニット（２００）によって前記通信デバイス（１００）の機能を制御する方法であって、
無線インタフェースを通じて前記リモートユニット（２００）を識別するステップと、
機能を特定するためのユーザ入力を受信するステップと、
前記リモートユニット（２００）から入力された制御信号を受信するステップと、
前記制御信号に前記機能を関連付けるステップと、
前記リモートユニット（２００）から前記制御信号を受信すると、前記通信デバイス（１００）で前記機能を実行するステップと
を含むことを特徴とする方法。
【請求項１０】
前記無線インタフェースを介して前記機能を特定するための前記ユーザ入力を受信するステップをさらに含むことを特徴とする請求項９に記載の方法。
【請求項１１】
前記通信デバイス（１００）上の入力デバイス（１１４）を通じて前記機能を特定するための前記ユーザ入力を受信するステップをさらに含むことを特徴とする請求項９に記載の方法。
【請求項１２】
前記機能を再マッピングするステップをさらに含むことを特徴とする請求項９に記載の方法。
【請求項１３】
通信デバイス（１００）から離れた位置に配置されたリモートユニット（２００）から該通信デバイス（１００）を動作させるための方法であって、
短距離通信の無線インタフェースを介して前記リモートユニット（２００）を識別するステップと、
前記リモートユニット（２００）から制御信号を受信するステップと、
前記通信デバイス（１００）で実行される機能を前記リモートユニット（２００）に割り当てるステップと、
前記制御信号を前記機能に割り当てるステップと、
前記リモートユニット（２００）からの前記制御信号を受信すると、前記通信デバイス（１００）で前記機能を実行するステップと
を含むことを特徴とする方法。
【請求項１４】
前記機能に異なる制御信号を再マッピングするステップをさらに含むことを特徴とする請求項１３に記載の方法。
【請求項１５】
前記制御信号に異なる機能を再マッピングするステップをさらに含むことを特徴とする請求項１３に記載の方法。
【請求項１６】
通信デバイス（１００）から離れた位置に配置されたリモートユニット（２００）によって該通信デバイス（１００）の機能を制御するための方法であって、
短距離通信のインタフェースを介して前記リモートユニット（２００）を識別するステップと、
前記通信デバイス（１００）によって実行される複数の機能を表示するステップと、
前記複数の機能から選択された機能を特定するための入力を受信するステップと、
前記リモートユニット（２００）から制御信号を受信するステップと、
前記選択された機能に前記制御信号を関連づけるステップと、
前記リモートユニット（２００）から前記制御信号を受信し、前記選択された機能を実行するステップと
を含むことを特徴とする方法。
【請求項１７】
前記通信デバイス（１００）が前記リモートユニット（２００）の通信範囲内に位置することを示す第１画像を表示するステップをさらに含むことを特徴とする請求項１６に記載の方法。
【請求項１８】
前記通信デバイス（１００）が前記リモートユニット（２００）の通信範囲外に位置することを示す第２画像を表示するステップをさらに含むことを特徴とする請求項１６に記載の方法。
【請求項１９】
前記選択された機能に異なる制御信号を再マッピングするステップをさらに含むことを特徴とする請求項１６に記載の方法。
【請求項２０】
通信デバイス（１００）であって、
セルラー無線送受信機（１０２）と、
短距離通信用の無線送受信機（１０４）と、
リモートユニット（２００）と通信し、選択された機能を特定するためのユーザ入力を受信し、前記リモートユニット（２００）で選択された制御に対応した、該リモートユニット（２００）からの制御信号を受信し、前記選択された機能を前記制御信号に関連づけ、前記リモートユニット（２００）からの制御信号が受信されると前記選択された機能を実行するプロセッサ（１３０）と
を備えることを特徴とする通信デバイス（１００）。
【発明の詳細な説明】
【技術分野】
【０００１】
本発明は、リモートユニットによって通信デバイスの機能を制御するための方法及び装置に関するものである。
【背景技術】
【０００２】
モバイルデバイスは、当該デバイス上の１つ以上のキーを物理的に接触（押下）することによって起動される多くの内蔵されたアプリケーションを有する。一例として、機能を起動するためにユーザがデバイスの前面のキーを押下することを必要とするプッシュ・ツー・トークアプリケーションがある。
【発明の開示】
【発明が解決しようとする課題】
【０００３】
ある事例において、ユーザがデバイスの所望のキーを物理的に押下することができず、結果的にユーザがアプリケーションを使用できない場合がある。例えば、ユーザが車両を運転している場合や、正確なキーを視覚的に見つけるためにモバイルデバイスに注意を向けることが不可能な場合がある。これは、車両内のデバイスの物理的な位置が物理的又は視覚的にアクセスできない位置であると、さらに困難となる場合がある。
【０００４】
他の事例において、ユーザがデバイスを法律的に直接起動できない場合がある。ニューヨーク州のように、国内の多くの領域においては、車両を運転中にドライバーが何れかの種類のハンズフリーデバイスを使用することなく携帯電話で会話をすることは違法である。ハンズフリーデバイスを使用することなく携帯電話で会話をして捕まったドライバーは、厳しい罰金刑を受けることになっている。「ハンズフリー」アプリケーションを使用するためのデバイスの遠隔操作によって、デバイスを使用するための合法的で安全な方法が提供されるであろう。さらに他の事例において、ユーザがキー押下できない場合や、キー押下することに気が進まない場合がある。モバイルデバイスは、ユーザが現在の自分の位置から物理的に移動して所望のキーを押下する必要があるクレードル（充電器）に載置されていることがある。ある形態においては、自身の仕事場から物理的に離れた自身のオフィスに電話を置いているユーザもいる。このような場合、ユーザにとってデバイスを起動して作動させることは煩わしいものである。
【課題を解決するための手段】
【０００５】
本発明は、遠隔操作装置（リモートユニット）によって通信デバイスの機能を制御する方法及び装置を実現するものである。本方法は、通信デバイスによって実行される選択された機能を特定するためのユーザ入力を受信するステップを含む。制御信号は、リモートユニットで選択された操作部に対応しており、当該リモートユニットから受信される信号である。その後、通信デバイスは、選択された機能を制御信号に関連づける。選択された機能と制御信号との間の関連付け（マッピング）が生成された後に、通信デバイスは、リモートユニットから制御信号を受信すると、選択された機能を実行する。
【０００６】
リモートユニットによって制御される装置の一の実施形態では、セルラー無線送受信機を有する通信デバイスと、短距離通信用の無線送受信機とを含む。また、通信デバイスは、リモートユニットと通信を行うプロセッサを含む。通信デバイスは、選択された機能を特定するためのユーザ入力、及び、リモートユニットで選択された操作部に対応するリモートユニットからの制御信号を受信する。プロセッサは、制御信号と選択された機能を関連づけ、制御信号がリモートユニットから実質的に受信されると、選択された機能を実行する。
【発明を実施するための最良の形態】
【０００７】
図１は、本発明の一実施形態に係る通信デバイス１００及びリモートユニット２００の一例を示すブロック図である。通信デバイス１００は、セルラー送受信機１０２、メモリ１０６、ユーザインタフェース１１０、オーディオ処理回路１２０及びシステムプロセッサ１３０を含む。ユーザインタフェース１１０は、１つ以上のユーザ入力デバイス１１２及びユーザに通信デバイスと情報をやりとりさせ、当該通信デバイスを制御させるディスプレイ１１４を含む。ユーザ入力デバイス１１２は、キーパッド、タッチパッド、ジョイスティック制御ダイヤル、コントロールボタン、又は、それらの組み合わせを含んでもよい。一の実施形態において、通信デバイス１００は、図１に区分して表示されたプッシュ・ツー・トーク（ＰＴＴ）スイッチ１１６を含む。ユーザ入力デバイス１１２は、操作者に、番号、文字、又はコマンドの入力や、インタフェースディスプレイ１１４でユーザに提示されたメニュー及びメニュー項目内のスクロールを行わせ、選択させる。ディスプレイ１１４は、メニュー、メニュー項目、ダイヤル入力した番号、画像、呼状態情報及びユーザアプリケーションからの出力のような情報をユーザに見せる。
【０００８】
また、ユーザインタフェース１１０は、マイクロホン１２２及びスピーカ１２４を含んでもよい。マイクロホン１２２は、スピーカ１２４がユーザに可聴音を与えている間に、ユーザからの音声入力を受信する。特に、マイクロホン１２２は、検知された音声及び他の可聴音を電子音声信号に変換する。また、スピーカ１２４は、アナログ音声信号を、ユーザによって聞かれる可聴音信号に変換する。オーディオ処理回路１２０は、マイクロホン１２２からアナログ音声入力を受信し、ベースアナログ出力信号をスピーカ１２４に提供する。また、通信デバイス１００のオーディオ処理回路１２０がユーザからの音声命令を受信して処理する音声認識システム（不図示）を含んでもよいということが正しく理解されるであろう。
【０００９】
システムプロセッサ１３０は、メモリ１０６に格納されたプログラムに従って通信デバイス１００の動作の全体を制御するステップを含む様々な処理タスクを実行する。メモリ１０６は、ランダムアクセスメモリ（ＲＡＭ）及び読み込み専用メモリ（ＲＯＭ）の両方を含んでもよい。通信デバイス１００の動作に必要とされるコンピュータプログラム及びデータは、ＥＰＲＯＭ、ＥＥＰＲＯＭ及びフラッシュメモリの少なくとも１つのような不揮発性メモリに格納される。不揮発性メモリは、個別のデバイス、スタックデバイス、又は、システムプロセッサ１３０と一体化されたデバイスとして実装されてもよい。
【００１０】
システムプロセッサ１３０は、ハードウェア、ファームウェア、ソフトウェア又はそれらの組み合わせで実装されてもよい。また、システムプロセッサ１３０は、シングルマイクロプロセッサ又はマルチマイクロプロセッサを含んでもよい。マイクロプロセッサは、一般用途向けプロセッサ、デジタルシグナルプロセッサ又は他の特定用途向けプロセッサであってもよい。システムプロセッサ１３０によって実行される機能は、信号処理、及びモバイルデバイス１００の全体的な動作の制御の少なくとも一方を含んでもよい。本発明及び以下に記載するより詳細な説明によれば、システムプロセッサ１３０は、マッピング（配置）機能１３４を含む。
【００１１】
他の通信デバイスと通信を行うために、通信デバイス１００は、セルラー送受信機１０２、及び短距離通信用の送受信機１０４を含む。セルラー送受信機１０２は、グローバル・システム・フォー・モバイル・コミュニケーションズ（ＧＳＭ）、ＴＩＡ／ＥＩＡ−１３６、ｃｄｍａＯｎｅ、ｃｄｍａ２０００、ＵＭＴＳ及び広帯域ＣＤＭＡなどの既知の標準規格に従って動作してもよい。セルラー送受信機１０２は、当該セルラー送受信機１０２によって送信される信号及び受信される信号を処理するために、ベースバンド処理回路を含む。或いは、ベースバンド処理回路は、システムプロセッサ１３０と一体化されてもよい。
【００１２】
短距離通信用の送受信機１０４は、例えば、Ｂｌｕｅｔｏｏｔｈ（登録商標）送受信機を含む。Ｂｌｕｅｔｏｏｔｈ（登録商標）は、２以上の無線デバイスとの間で、短距離通信のアドホックネットワークを介して無線通信を可能とするユニバーサル無線インタフェースである。Ｂｌｕｅｔｏｏｔｈ（登録商標）規格の概要は、ＪａａｐＨａａｒｔｓｅｎ著の「Ｂｌｕｅｔｏｏｔｈ（登録商標）アドホック無線接続用のユニバーサル無線インタフェース」（１９９８年，エリクソン編集、第３版）に記載されている。本明細書中で記載される用語「Ｂｌｕｅｔｏｏｔｈ（登録商標）送受信機」及び「Ｂｌｕｅｔｏｏｔｈ（登録商標）ネットワーク」は、短距離通信の通信用の無線インタフェースを示す。しかし、本発明がＢｌｕｅｔｏｏｔｈ（登録商標）のシステムや装置のみに限定されず、赤外線通信及び８０２．１１インタフェース等の他の短距離通信の無線インタフェースが同様に適用可能であるということは当業者に理解されるであろう。
【００１３】
リモートユニット２００は、ユーザが通信デバイス１００を離れて制御することを可能にする。リモートユニット２００は、例えば、ハンズフリーユニットを含んでもよい。リモートユニット２００は、車両に一体化されてもよく、又は携帯ユニットであってもよい。リモートユニット２００は、当該リモートユニット２００の動作を制御する制御装置（コントローラ）２０２と、１以上の操作部２０６と、短距離通信用の送受信機２０４とを含む。コントローラ２０２は、ハードウェア、ファームウェア、ソフトウェア又はそれらの組み合わせで実装されてもよい。さらに、コントローラ２０２は、シングルマイクロプロセッサ又はマルチマイクロプロセッサを備えてもよい。マイクロプロセッサは、一般用途向けのマイクロプロセッサ、デジタルシグナルプロセッサ又は他の特定用途向けプロセッサであってもよい。コントローラ２０２は、さらに、動作に必要とされるプログラム及びデータを格納する形式で関連づけられたメモリ（不図示）を有してもよい。
【００１４】
１以上の操作部２０６は、リモートユニット２００を介した通信デバイス１００の遠隔制御を可能にする。操作部２０６は、プッシュボタン、キーパッド、タッチパッド、ジョグダイヤル、ジョイスティックコントロール、ダイヤル及び他の同様の物理的機構を含んでもよい。単一の操作部２０６又は複数の操作部２０６が設けられてもよい。
【００１５】
リモートユニット２００は、短距離通信用の送受信機２０４を介して通信デバイス１００と通信を行う。短距離通信用の送受信機２０４は、Ｂｌｕｅｔｏｏｔｈ（登録商標）送受信機又は他の短距離通信の無線インタフェースを含んでもよい。操作部２０６の操作によって生成された制御信号は、リモートユニット２００によって通信デバイス１００に送信される。通信デバイス１００が制御信号に対してどのように反応するかは、ユーザによってプログラムされうる。
【００１６】
図２及び図３は、リモートユニット２００の操作部２０６に通信デバイス１００の機能を割り当てる方法を示す図である。図２に示す処理は、Ｂｌｕｅｔｏｏｔｈ（登録商標）ヒューマンインタフェースデバイス（ＨＩＤ）プロファイルを使用する。最初に、通信デバイス１００は、リモートユニット２００を探索（ディスカバリ）して当該リモートユニット２００へ接続するために、探索モードに設定される。図１の形態を使用する場合には、通信デバイス１００でＢｌｕｅｔｏｏｔｈ（登録商標）インタフェースを有効にすることが必要となる。同時に、予め定められた方法で特定の操作部２０６を作動することにより、又は、１以上の操作部２０６を作動することなどにより、リモートユニット２００が有効にされ探索可能となる。両方が有効にされるとすぐに、ステップ２１０において、通信デバイス１００は、前もって識別されていないリモートユニット２００を検知する。その後、ステップ２２０において、通信デバイス１００とリモートユニット２００とが組み合わせられる。組み合わせ（ペアリング）は、ユーザが入力デバイス１１２を通じて入力するパスコードに影響を受ける。このパスコードは、リモートユニット２００に送信される。組み合わせの処理は、通信デバイス１００において、リモートユニット２００に割り当てられる固有の識別子を生成する。
【００１７】
通信デバイス１００とリモートユニット２００とが組み合わされると、ステップ２３０において、マッピング機能を開始するために、メモリ１０６に格納されたプログラムが起動される。通信デバイス１００は、リモートユニット２００の機能を決定してもよい。リモートユニット２００の機能とは、操作部の番号若しくは操作部の種類（例えば、入力ボタンの番号、ジョイスティックなど）、又は、操作部の入力形式（例えば、入力ボタンの長押し、同時押しなど）を示す。プログラムは、ユーザに対して、通信デバイス１００内の機能と、リモートユニット２００の操作部２０６とを関連づけるように指示する。ステップ２４０において、所望の機能が選択される。さらに、ステップ２５０において、リモートユニット２００からの制御信号に所望の機能が割り当てられる。制御信号は、単一の操作部２０６（例えば、プッシュ・コントロールボタン）の起動、又は、複数の操作部２０６の起動（押下）によって発生する。その後、ステップ２６０において、通信デバイス１００は、受信した制御信号に選択した機能をマッピングする。この組み合わせは、通信デバイス１００に格納されている。制御信号が通信デバイス１００によって実質的に受信されると、通信デバイス１００の選択された機能が起動される。
【００１８】
最初の機能がマッピングされた後に、他の機能も同様の方法でマッピングされうる。追加のマッピングが必要な場合、ステップ２７０において、ユーザに対して次の機能を選択するように指示し、割り当ての処理を繰り返す。追加のマッピングが必要でない場合、マッピング機能を終了する。
【００１９】
リモートユニット２００から受信される制御信号は、操作部２０６からの様々な入力によって発生する。様々な入力には、例えば、コントロールボタン（操作部）の単押し、多重押し、長押しなどが含まれる。また、制御信号は、複数の操作部２０６の組み合わせによって発生されてもよい。例えば、単一の制御信号を生成するために、２以上のプッシュボタンが同時に又は連続して起動されてもよい。ユーザは、通常使用される機能（例えば、プッシュ・ツー・トーク）用に単純な信号（例えば、コントロールボタンの単押し）を選択してもよい。また、より複雑な信号（複数のボタン押下又は長押し）には、使用頻度の低い機能が選択されてもよい。操作部２０６によって生成されうる制御信号や通信デバイス１００によって区別されうる制御信号である異なる制御信号の数は、通信デバイス１００及びリモートユニット２００の少なくとも一方の精巧さ（性能）に依存して変化する。各制御信号は、固有であり、通信デバイス１００によって区別されうる。
【００２０】
図３Ａ乃至Ｃは、通信デバイス１００をリモートユニット２００に組み合わせるために通信デバイス１００のディスプレイ１１４に提示されるディスプレイ画面のシーケンスを示す図である。図３Ａに示すように、ユーザにはリモートユニットとの接続が可能な方法や構成が画面に提示される。この画面において、ユーザは、Ｂｌｕｅｔｏｏｔｈ（登録商標）インタフェースを可能とするためにＢｌｕｅｔｏｏｔｈ（登録商標）オプション（太字で示す。）を選択する。その後、ユーザには、図３Ｂに示すＢｌｕｅｔｏｏｔｈ（登録商標）メニューが提示される。このメニューは、ユーザに対して、Ｂｌｕｅｔｏｏｔｈ（登録商標）の有効／無効を設定させるためや、他のＢｌｕｅｔｏｏｔｈ（登録商標）通信が可能なデバイスを探索させるために表示される。ユーザがＢｌｕｅｔｏｏｔｈ（登録商標）メニュー上でメニュー項目「マイデバイス」を選択すると、図３Ｃに示すメニューが提示される。「マイデバイス」メニューは、組み合わせられたＢｌｕｅｔｏｏｔｈ（登録商標）デバイスのリストを含む。メニュー項目「新たなデバイスの追加」は、ユーザに対して、他のＢｌｕｅｔｏｏｔｈ（登録商標）デバイスを見つけて表示するためにＢｌｕｅｔｏｏｔｈ（登録商標）インタフェースを探索モードに設定することを可能にする。ユーザは、探索モードでＢｌｕｅｔｏｏｔｈ（登録商標）送受信機を設定するために「新たなデバイスの追加」を選択する。
【００２１】
図４Ａ乃至Ｃは、通信デバイス１００の機能を特定するためにリモートユニット２００の操作部２０６をマッピングするためのメニューの一例を示す図である。図４Ａに示すディスプレイ画面は、通信デバイス１００がプログラム可能な制御でリモートユニット２００と組み合わされるとすぐにユーザに提示される。リモートボタンメニューは、操作部２０６を通信デバイス１００の特定の機能と関連づける際のオプションをユーザに与える。このオプションは、図４Ａに太字で示された「リモート機能の関連付け」でラベル付けされている。選択されると、ユーザには、図４Ｂに示すタイトル「リモートボタンプログラミング」のプログラミングメニューが提示される。「リモートボタンプログラミング」メニューは、リモートユニット２００の操作部２０６に割り当てられた機能をユーザに提示する。機能のリストは説明を容易にすることを目的としている。当業者には、他の機能についても遠隔に制御されることが理解されるであろう。本例において、ユーザはＰＴＴキー機能を選択する。その後、ユーザには、当該ユーザがＰＴＴキーとして使用したいリモートユニット２００上のキーを押下するように促す図４Ｃに示すディスプレイ画面が提示される。ユーザがリモートユニット２００上のボタンを押下すると、その後、制御信号が生成されて通信デバイス１００に送信される。通信デバイス１００は、受信された制御信号をＰＴＴキー機能に割り当てる。
【００２２】
通信デバイス１００がリモートユニット２００から通信範囲外に移動すると、それらの装置は通信を行うことができない。ユーザには、通信デバイス１００のディスプレイ１１４に示される表示によって通知される。また、それらの装置が通信できなくなると、通信装置１００は、リモートユニット２００を見つけだそうとするために定期的な検索を実行してもよい。どのくらいの頻度で通信デバイス１００が検索を行うかや、検索の方法の詳細は、ユーザによってプログラムされるか又はＢｌｕｅｔｏｏｔｈ（登録商標）標準規格によって定義される特定の実施形態に依存する。通信デバイス１００がリモートユニット２００の通信範囲内に戻り、検知されると、ユーザに通知するためにディスプレイ１１４に表示が示される。
【００２３】
図５は、車両内で使用する場合の本発明の一適用例を示す図である。通信デバイス１００は、運転席に隣接したクレードル（充電器）１６０内に配置される。リモートユニット２００は、ハンドル１６２上に配置された操作部２０６を有して車両に内蔵されている。本実施形態において、操作部２０６は、２つの個別のコントロールボタンを含む。本実施形態によれば、通信デバイス１００の２つの機能が既にリモートユニット２００にマッピングされていることを想定している。ここで、プッシュ・ツー・トーク（ＰＴＴ）機能は第１のコントロールボタンの単押しにマッピングされている。また、音声録音機能は、第２のコントロールボタンの長押しにマッピングされている。ユーザが車両の運転中にＰＴＴ機能を利用したい場合に、当該ユーザは、第１のコントロールボタンを使用して、関連づけられた一連の入力信号を入力する。これにより、ユーザは、実際にデバイス自体に触れることなく、通信デバイス１００の機能を使用することができる。その後、ユーザは、第２のコントロールボタンに一連の入力信号を入力することによって音声録音機能を使用してもよい。
【００２４】
図５に示す実施形態では、リモートユニット２００は車両内に取り付けられている。この取り付けは、車両の製造時に行われるか、又は、製造後に追加で行われてもよい。リモートユニット２００は、車両のバッテリによって電源供給されるか、又は、別の電源を含んでもよい。一の実施形態において、通信デバイス１００は、クレードル１６０とリモートユニット２００とに接続される車両内の固定配線を介してリモートユニット２００と通信を行ってもよい。クレードル１６０内に通信デバイス１００を挿入する前に、通信デバイス１００とリモートユニット２００との間で無線通信を可能にするか、又は不可能にしてもよい。
【００２５】
無線通信デバイス１００は、最初の通信中に割り当てられた固有の識別子を介して通信範囲内に当該リモートユニットが入ってきたときに、個々の異なるリモートユニット２００を認識する。単一の通信デバイス１００は、多くの異なるリモートユニット２００に異なる識別子を割り当てる。一例として、ユーザの車両内にある第１のリモートユニット２００に第１の識別子が割り当てられ、さらに、第１の機能及び制御信号のセットとマッピングされる。ユーザのオフィス内にある第２のリモートユニット２００には、第１のリモートユニット２００にマッピングされた機能や一連の入力信号と同じ又は異なるものがマッピングされてもよい。
【００２６】
リモートユニット２００にマッピングされた機能は、通信デバイス１００内の全ての機能又は一部の機能を含んでもよい。一の実施形態において、マッピングされた利用可能な機能は、ディスプレイ１１４に一覧表示される。ユーザは、リストを介して切り替えて、所望の機能を選択してもよい。マッピングされた特定の機能は、プッシュ・ツー・トーク、音声コントロール、及び音声録音機能の開始／停止を含む。
【００２７】
通信デバイス１００は、さらに、組み合わせ処理を開始するために通信デバイス１００に専用メカニズムを含んでもよい。この仕組みが起動されると、通信デバイス１００は、リモートユニット２００を検索する。専用メカニズムの起動は、通信デバイス１００を明確な停止を必要とする組み合わせモードに常に設定するか、又は、限られた時間のみ当該組み合わせモードを継続するようにしてもよい。起動されている間は、ユーザに通知するために、メッセージ又はアイコンがディスプレイ１１４に表示される。他の実施形態において、専用メカニズムは、通信デバイス１００の前面上のボタンが押し下げられる。
【００２８】
通信デバイス１００の機能のリモートユニット２００へのマッピングは変更されてもよい。所望の場合、通信デバイス１００のユーザは、マッピングプログラムを開始させて、前もって割り当てられた信号及び機能を変更する。一例として、ユーザが最初にＰＴＴ機能を制御するために特定の操作部２０６をマッピングしたとする。その後、ユーザは、同じ操作部２０６が音声録音機能を動作させるようにマッピングを変更することを決めてもよい。マッピングを変更するために、ユーザは単にマッピング機能を開始し、前もってＰＴＴ機能に割り当てられた制御信号を音声録音機能に再度割り当てる。同じ制御信号を新たな機能に再度割り当てる前に、ユーザに再度マッピングする要望を確認するためのプロンプトを、ディスプレイ１１４に表示してもよい。
【００２９】
図２に示す方法では、通信デバイス１００でマッピング機能が実行される。入力コマンド及び表示は、個々に通信デバイス１００に関連づけられる。リモートユニット２００は、マッピングシーケンスのプログラミングを規定してもよい。リモートユニット２００は、通信デバイス１００のマッピング機能をどのように実行するかをユーザに指示させるためのプロンプトを表示するディスプレイ２０８を含んでもよい。入力メカニズム２０６は、プロンプトに反応するためや、様々な機能及び制御信号を割り当てるために使用される。
【００３０】
本明細書中で記載する用語「通信デバイス」は、マルチラインディスプレイを備えた又は備えていないセルラー無線送受信機、パーソナルコミニュケーションシステム（ＰＣＳ）端末、携帯情報端末（ＰＤＡ）、従来のラップトップ及びパームトップの少なくとも一方の受信機、ポケベル、又は、無線インタフェースを介して情報を伝達する無線送受信機を含む他のモバイルデバイスを含んでもよい。ここで、パーソナルコミニュケーションシステム（ＰＣＳ）端末は、データ処理、ファクシミリ及びデータ通信機能を有する無線送受信機を組み合わせた端末である。携帯情報端末（ＰＤＡ）は、無線送受信機、ポケベル、インターネット／イントラネット接続、ウェブブラウザ、システム手帳、カレンダー及びグローバルポジショニングシステム（ＧＰＳ）受信機の少なくとも１つを含む。さらに、用語「通信デバイス」は、コンピュータ、又は、ケーブルインタフェースを介して情報を伝達する送受信機を含む他のデジタル通信装置を含んでもよい。
【００３１】
本発明は、もちろん、本発明の本質的な特徴から逸脱することなく、本明細書で具体的に説明しているもの以外の他の方法で実行されうる。本発明は、あらゆる点で説明に役立つもので、かつ制限されないものとして考えられるべきであり、そして添付のクレームの目的及び同等の領域内に入るすべての変更は、その点で受け入れられるべきである。
【図面の簡単な説明】
【００３２】
【図１】図１は、本発明の第１の実施形態に係るモバイルユニット及びリモートユニットのブロック図である。
【図２】図２は、本発明の第１の実施形態に係るリモートユニットによってシーケンスを入力するために通信デバイス内でマッピング機能をマッピングする方法のフローチャートである。
【図３ａ】、
【図３ｂ】、
【図３ｃ】図３ａ−ｃは、モバイルユニットとリモートユニットとを組み合わせるための通信デバイスのディスプレイにユーザに対して提示される表示スクリーンの例を示す図である。
【図４ａ】、
【図４ｂ】、
【図４ｃ】図４ａ−ｃは、リモートユニットの制御をモバイルユニットの特定の機能にマッピングするための通信デバイスのディスプレイにユーザに対して提示される表示スクリーンの例を示す図である。
【図５】図５は、本発明の一実施形態に係る車両内での本発明の適用例を示す図である。
【図１】
2008523715.tif 000003
【図２】
2008523715.tif 000004
【図３ａ】
2008523715.tif 000005
【図３ｂ】
2008523715.tif 000006
【図３ｃ】
2008523715.tif 000007
【図４ａ】
2008523715.tif 000008
【図４ｂ】
2008523715.tif 000009
【図４ｃ】
2008523715.tif 000010
【図５】
2008523715.tif 000011
【国際調査報告】
2008523715.tif 000012
2008523715.tif 000013